(57)【特許請求の範囲】
【請求項１】
フィルムの周縁部がシールされて袋状に形成され、その周縁部に注出用開口部を形成するための開封片が開封線を介してパウチ本体と区画されている詰め替え用パウチであって、
開封片は、開封後において注出用開口部の両側のうちの一方側においてパウチ本体と繋がっていて該繋がっている部分を基端部とすると共に他方側を先端部とする構成であり、
パウチ本体には開封後の開封片を係止するための係止部が形成され、該係止部に係止される被係止部が開封片の先端部側に形成され、
係止部は、注出用開口部の両側のうちの前記他方側であって且つ被係止部よりも開封片の基端部から遠い位置に形成されていることを特徴とする詰め替え用パウチ。
【請求項２】
注出用開口部は斜め上方に開口するように形成され、開封片は先端部が下側に位置し基端部が上側に位置するように形成され、係止部は詰め替え用パウチの両側縁のうち注出用開口部が形成された側の側縁に形成されて被係止部よりも下側に位置している請求項１記載の詰め替え用パウチ。
【請求項３】
被係止部は、開封線の一部から構成され、開封片の内側に向けて凹設された凹状部である請求項２記載の詰め替え用パウチ。
【請求項４】
非シール部によって注出流路が形成され、該注出流路の先端部を開封線が横断することにより注出用開口部が形成される構成とされ、
開封線は、開封片の先端部側において注出流路の側方にシール部を形成すべく注出流路に沿って形成された外郭線部と、該外郭線部の注出用開口部に近い側の端部から注出流路を横断するように形成された横断線部とを有し、該外郭線部と横断線部との間の屈曲部により前記凹状部が構成されている請求項３記載の詰め替え用パウチ。
【発明の詳細な説明】
【技術分野】
【０００１】
本発明は、専用容器に洗剤やシャンプー等の内容物を詰め替えるための詰め替え用パウチに関する。
【背景技術】
【０００２】
従来、洗剤やシャンプー等の内容物を使い切ってなくなったとき、あるいは、その残量が少なくなったときに、詰め替え用パウチから内容物を専用容器に詰め替えることが行われている。
【０００３】
この種の詰め替えパウチは、内容物を注出するために別体のスパウトを取り付けているものが多いが、別途スパウトが必要であるという点で製造コストが嵩むという問題がある。その一方、スパウトを設けずにパウチの一部を開封片としてパウチ本体から切離して開口部を形成し、その開口部から内容物を注出するという構成も多いが、この場合には開口部近傍においてフィルムの内面同士が密着して開口部が閉塞しやすく、詰め替え時に内容物を開口部から注出しにくいという問題がある。
【０００４】
かかる問題に対して例えば下記特許文献１においては開封片にリング部を形成しておき、切離した開封片のリング部を開口部の周囲に嵌め込むようにすることで、開封片のリング部で開口部近傍のフィルムを内側に向けて押圧し、これによって開口部を開口状態に維持しようとする構成が提案されている。しかしながらこの構成では、開封片のリング部の内径をかなり小さくしておかないと開口部近傍のフィルムを内側に十分に押圧することができない一方で、内径が小さいと開封片のリング部を開口部の周囲に嵌め込む作業が難しくなる。即ち、開封片のリング部を開口部の周囲に嵌め込みやすくすることと、開口部近傍のフィルムを内側に押圧する力を十分に確保するということとが相反関係にあるため、結局のところは作業性を優先させる結果、開口部を確実に開口維持することが難しいという問題がある。
【先行技術文献】
【特許文献】
【０００５】
【特許文献１】特許第４５２２７３７号公報
【発明の概要】
【発明が解決しようとする課題】
【０００６】
それゆえに本発明は上記従来の問題点に鑑みてなされ、別体のスパウトを備えていなくても詰め替え作業を容易に行うことができる詰め替え用パウチを提供することを課題とする。
【課題を解決するための手段】
【０００７】
本発明は、上記課題を解決すべくなされたものであって、本発明に係る詰め替え用パウチは、フィルムの周縁部がシールされて袋状に形成され、その周縁部に注出用開口部を形成するための開封片が開封線を介してパウチ本体と区画されている詰め替え用パウチであって、開封片は、開封後において注出用開口部の両側のうちの一方側においてパウチ本体と繋がっていて該繋がっている部分を基端部とすると共に他方側を先端部とする構成であり、パウチ本体には開封後の開封片を係止するための係止部が形成され、該係止部に係止される被係止部が開封片の先端部側に形成され、係止部は、注出用開口部の両側のうちの前記他方側であって且つ被係止部よりも開封片の基端部から遠い位置に形成されていることを特徴とする。
【０００８】
該構成の詰め替え用パウチにあっては、開封片を引っ張る等して注出用開口部を形成するのであるが、開封片は開封によってパウチ本体から完全に切り離されるのではなくその基端部においてパウチ本体と繋がった状態にある。そして、開封後の開封片をパウチ本体の係止部に係止させると、その開封片は基端部側に戻ろうとする。該開封片が基端部側へ復帰しようとする力は係止部からパウチ本体に作用する。この力はパウチ本体のフィルム面に沿ってパウチ本体の外側から注出用開口部の中心側に向かう方向であるので、注出用開口部において互いに対向している両フィルムにはそれぞれ互いに離れる方向に力が働いて注出用開口部が押し広げられ、注出用開口部は開口状態に保持されることになる。
【０００９】
特に、注出用開口部は斜め上方に開口するように形成され、開封片は先端部が下側に位置し基端部が上側に位置するように形成され、係止部は詰め替え用パウチの両側縁のうち注出用開口部が形成された側の側縁に形成されて被係止部よりも下側に位置していることが好ましい。この場合、開封片の先端部を下向きに引っ張るようにして被係止部を係止部に係止させることになる。詰め替え用パウチの下部は内容物によって変形しにくいのに対して上部は変形しやすい。また、開封片を上側ではなく下側に引っ張るようにすれば詰め替え用パウチが比較的安定した状態で開封片を係止部に係止することができる。従って、開封片を容易に係止部に係止することができると共に注出用開口部を押し広げようとする力がフィルムに効果的に作用して注出用開口部が容易に開口する。
【００１０】
また、被係止部は、開封線の一部から構成され、開封片の内側に向けて凹設された凹状部であることが好ましい。開封片の外縁に被係止部として凹状部を形成することも可能であるが、被係止部を開封線の一部から構成すると共に、開封片の内側に向けて凹設された凹状部から被係止部を構成すれば、被係止部が開封前に邪魔にならず、また係止操作も簡便且つ容易になる。
【００１１】
更に、非シール部によって注出流路が形成され、該注出流路の先端部を開封線が横断することにより注出用開口部が形成される構成とされ、開封線は、開封片の先端部側において注出流路の側方にシール部を形成すべく注出流路に沿って形成された外郭線部と、該外郭線部の注出用開口部に近い側の端部から注出流路を横断するように形成された横断線部とを有し、該外郭線部と横断線部との間の屈曲部により前記凹状部が構成されていることが好ましい。非シール部によって注出流路を形成することにより、内容物を注出流路を介してスムーズに注出することができる。そして、注出流路の側方にシール部を形成すべく注出流路に沿って外郭線部を形成することで、パウチ本体から外側に注出用ノズル部を突出形成することができる。従って、専用容器の口部に注出用ノズル部を当てるようにして内容物を専用容器に容易に詰め替えることができる。また、外郭線部と横断線部との間の屈曲部を被係止部とすることにより、注出用ノズル部を形成しつつ被係止部も容易に形成することができる。
【発明の効果】
【００１２】
以上のように、本発明に係る詰め替え用パウチは、パウチ本体の係止部に係止された開封片がその基端部側に戻ろうとする力によって注出用開口部が開口維持されるので、別体のスパウトを備えていなくても内容物の詰め替え作業を容易に行うことができる。
【図面の簡単な説明】
【００１３】
【図１】本発明の一実施形態における詰め替え用パウチを示す正面図。
【図２】同詰め替え用パウチの要部拡大図。
【図３】同詰め替え用パウチの開封状態を示す要部拡大図。
【図４】同詰め替え用パウチの開封状態を示す斜視図。
【図５】本発明の他の実施形態における詰め替え用パウチを示す正面図。
【図６】同詰め替え用パウチの要部拡大図。
【図７】同詰め替え用パウチの開封状態を示す要部拡大図。
【図８】本発明の他の実施形態における詰め替え用パウチを示す正面図。
【図９】同詰め替え用パウチの要部拡大図。
【図１０】同詰め替え用パウチの開封状態を示す要部拡大図。
【図１１】同詰め替え用パウチの開封状態を示す要部斜視図。
【発明を実施するための形態】
【００１４】
以下、本発明の一実施形態に係る詰め替え用パウチについて図１〜図４を参酌しつつ説明する。図１に示す詰め替え用パウチは、内容物として例えば洗剤やシャンプー等の液状又は半液状の流動性のものや顆粒状のものを収容するためのものであって、フィルムの内面同士がその周縁部においてヒートシールされて袋状に形成されたものである。具体的には、周縁シール部の内側に非シール部からなる充填空間部１０が形成され、該充填空間部１０に内容物が充填されている。尚、図面においてフィルムの内面同士がヒートシールされて形成されたシール部には多数のドットを施している。
【００１５】
詰め替え用パウチは、全体として上下方向に長い略長方形状であって、底部ガセット部１を有する自立可能なスタンディングパウチとして構成されている。詰め替え用パウチは、正面及び背面を構成する一対の主フィルム片と、該主フィルム片の下部の内側に折り込まれて折り返し部１ａで二つ折りとされて底部ガセット部１を構成するガセットフィルム片とから構成されている。尚、一対の主フィルム片を二枚のフィルムから別々に構成してもよく、一枚のフィルムを二つ折りにすることで一対の主フィルム片を一体的に構成してもよく、また、主フィルム片とガセットフィルム片とを一枚のフィルムから一体的に構成してもよい。また、ガセットフィルム片の両側縁には、二つ折り状態において互いに表裏方向に対向する箇所に例えば半円状に切り欠かれた切欠部２が形成され、該切欠部２の位置においては正面側の主フィルム片と背面側の主フィルム片とが直接ヒートシールされている。従って、切欠部２の位置においてガセットフィルム片の前後方向の開きが防止されている。
【００１６】
周縁シール部は、左右両側縁シール部３，４と、ガセットフィルム片が主フィルム片にヒートシールされて形成された底部シール部５と、内容物を充填した後にその充填口がヒートシールされて形成された充填口シール部６と、上縁７から一方の側縁８にかけて傾斜して形成された傾斜シール部９とから構成されている。一方の側縁８における側縁シール部３の内縁は上下方向に沿って形成されているのに対して、傾斜シール部９の内縁は、その下部においては側縁シール部３から斜め上方に向けて傾斜して形成され、その上部においては外側に向けて斜め上方に突出した非シール部を形成するように略コの字状に形成されている。この外側に向けて斜め上方に突出した非シール部から、内容物を充填空間部１０から注出する際にその流路となる注出流路１１が形成されている。即ち、注出流路１１は充填空間部１０と連通すると共に充填空間部１０から斜め上方に向けて突出するように形成されている。
【００１７】
該注出流路１１の周囲に開封片１２が形成されている。該開封片１２は、内容物を注出する注出用開口部１３を形成するためのものであって開封線２０によってパウチ本体１４と区画されており、開封時にその基端部１２ａを除いてパウチ本体１４から切り離される。即ち、開封片１２は、注出用開口部１３の両側のうちの一方側をパウチ本体１４と繋がっている基端部１２ａとし他方側を先端部１２ｂとして注出用開口部１３の外側を跨ぐようにして形成されている。具体的には、開封片１２は、下側を先端部１２ｂとし上側を基端部１２ａとして構成され、注出流路１１は開封片１２の先端部１２ｂと基端部１２ａの間を斜め上方に延びている。従って、開封片１２の先端部１２ｂと基端部１２ａは注出流路１１を挟んで互いに対向した位置関係にあり、開封片１２は注出流路１１の外側を三方から囲むようにして形成されている。そして、開封によって開封片１２の先端部１２ｂ側はパウチ本体１４から離れる一方、開封片１２の基端部１２ａは開封後においてもパウチ本体１４に繋がった状態のままである。
【００１８】
このように開封片１２をパウチ本体１４から区画している開封線２０は、一方の側縁８に形成されたＶ字状又はＵ字状の始端ノッチ部２１を始点として形成され、該始端ノッチ部２１から注出流路１１の基端部に向けて斜め上方に延びた先端縁部２２と、該先端縁部２２と湾曲部２３を介して連設され、注出流路１１の先端部側に向けて注出流路１１に沿って形成された下側の外郭線部２４と、該下側の外郭線部２４に対して所定角度で屈曲し、下側の外郭線部２４における注出流路１１の先端部側の端部から注出流路１１を横断するように形成された横断線部２５と、該横断線部２５と湾曲部２６を介して連設され、注出流路１１の基端部側に向けて注出流路１１に沿って形成された上側の外郭線部２７とから構成される。
【００１９】
先端縁部２２はその全長のうち一部を除いてフィルムが完全に切断された完全切断領域である。先端縁部２２の一部はフィルムが全く切断されていない非切断領域Ｔであって、該非切断領域Ｔは、始端ノッチ部２１の近傍に形成されているが、その長さは先端縁部２２の全長に対して僅かである。また、符号Ｈで示した部分は易開封領域である。易開封領域とは、鋏等を使わずに手で容易に開封することができるよう加工された領域であり、当該加工方法としては、特に限定されず従来公知の技術が用いられる。具体的には、例えば、フィルムの表面又は裏面にハーフカット（ミシン目等を含む）を設けたり、主フィルム片が複層構成である場合にその内層をカットしたり、延伸方向が開封方向に沿った延伸フィルムを主フィルム片に用いたりすることが挙げられる。易開封領域がハーフカット領域である場合、フィルムの全厚のうちの一部まで既に切断されており、カットの割合は例えば全厚のうちの３０％程度である。開封線２０のうち非切断領域Ｔ及び易開封領域Ｈを除く他の領域は全て完全切断領域となっている。
【００２０】
下側の外郭線部２４と横断線部２５との間の角度αは例えば９０°〜１１０°であり、下側の外郭線部２４と横断線部２５との間の屈曲部２８は開封片１２の内側に向けて凹んだ形状であって、該屈曲部２８が被係止部として構成されている。そして、屈曲部２８にはノッチ部２９が形成されていてこれによってより一層確実な係止状態が得られるが、このノッチ部２９を省略することもできる。
【００２１】
上下両外郭線部２４，２７は、図２のようにそれぞれ注出流路１１の側方即ち幅方向外側に所定幅のシール部３０を残すようにして形成されている。従って、パウチ本体１４には開封によって斜め上方に突出した注出用ノズル部１５が形成され、該注出用ノズル部１５に注出流路１１が位置することになる。そして、注出流路１１の先端部を開封線２０が横断しているので、開封によって注出流路１１の先端部が開口し、注出用ノズル部１５の先端部に注出用開口部１３が形成されることになる。また、詰め替え用パウチの一方の側縁８と、開封線２０の先端縁部２２及び下側の外郭線部２４とによって、開封片１２の先端部１２ｂには略三角形状の摘み部が形成される。そして、注出用ノズル部１５を形成する下側の外郭線部２４と上側の外郭線部２７の外側にそれぞれ開封片１２の先端部１２ｂと基端部１２ａが位置している。
【００２２】
上側の外郭線部２７は注出流路１１の基端部近傍に端部を有し、その位置で開封線２０は終点となる。この上側の外郭線部２７が注出流路１１の先端部側から基端部側に向けて斜め下方に延びていることから、上側の外郭線部２７と詰め替え用パウチの上縁７との間の離間距離は注出流路１１の基端部に向けて徐々に大きくなる。上側の外郭線部２７の端部においてその上側領域が開封片１２の基端部１２ａとなり、従って、開封片１２は基端部１２ａの近傍において基端部１２ａに向けて徐々に幅広となる。
【００２３】
また、始端ノッチ部２１の下側には係止用ノッチ部１６が形成されている。該係止用ノッチ部１６は開封後において開封片１２を係止するため係止部であって、詰め替え用パウチの一方の側縁８から略水平方向に所定長さ（例えば数ｍｍ程度）形成されている。詰め替え用パウチの一方の側縁８は、詰め替え用パウチの両側縁のうち注出用開口部１３が形成された側の側縁である。該係止用ノッチ部１６と屈曲部２８との間の上下方向の離間距離は、詰め替え用パウチの全高（上下方向の寸法）が例えば２００ｍｍの場合においてその略１／１０に相当する２０〜２５ｍｍ程度である。このように係止用ノッチ部１６が屈曲部２８に対して下方に位置していることから、図２のように、開封片１２の基端部１２ａから屈曲部２８までの長さＢに対して、開封片１２の基端部１２ａから係止用ノッチ部１６までの長さＡの方が長くなる。即ちＡ＞Ｂという関係になる。尚、開封片１２の基端部１２ａから係止用ノッチ部１６までの長さＡ及び開封片１２の基端部１２ａから屈曲部２８までの長さＢに関し、開封片１２の基端部１２ａは、上側の外郭線部２７の終端２７ａから詰め替え用パウチの上縁７に向けて鉛直上方に引いた仮想線Ｌ１が上縁７と交差した点Ｐを基準とする。本実施形態において上側の外郭線部２７の終端２７ａが開封線２０の終端である。また、開封片１２の基端部１２ａから係止用ノッチ部１６までの長さＡは係止用ノッチ部１６の先端までの距離とする。また、屈曲部２８にノッチ部２９が形成されている本実施形態においては、開封片１２の基端部１２ａから屈曲部２８までの長さＢはノッチ部２９の先端までの距離とする。
【００２４】
尚、詰め替え用パウチを構成するフィルムは特には限定されるものではなくて種々の公知のものが使用でき、例えば、二軸延伸ポリエステルフィルムや二軸延伸ポリアミドフィルム等よりなる外層と、低密度ポリエチレン、高密度ポリエチレン、鎖状低密度ポリエチレン、ポリプロピレンやメタロセン系ポリエチレン等の熱融着性樹脂よりなる内層とからなる多層ラミネートフィルムが使用され、また、必要によりエチレンビニルアルコール共重合体やアルミニウム箔、酸化ケイ素等の無機物を蒸着したフィルム等のようなガスバリア性フィルム等を積層したものも使用される。
【００２５】
以上のように構成された詰め替え用パウチは、図３に示すように、開封片１２の先端部１２ｂ側を摘んで開封線２０における非切断領域Ｔを引き裂くように切断し、続いて易開封領域Ｈを切断することにより注出用開口部１３が形成される。開封片１２はその基端部１２ａにおいてパウチ本体１４と繋がった状態にあるのでパウチ本体１４から分離することはないが、開封片１２の先端部１２ｂ側はパウチ本体１４から離れた状態となり、注出用ノズル部１５が外側に向けて突出形成されることになる。そして、開封片１２の先端部１２ｂを下側に引っ張るようにしながら屈曲部２８を係止用ノッチ部１６に係止させる。その際、屈曲部２８にノッチ部２９が形成されているので確実に係止用ノッチ部１６に屈曲部２８が係止される。上述したように係止用ノッチ部１６が屈曲部２８よりも開封片１２の基端部１２ａから遠く離れた位置にあってＡ＞Ｂの関係にあるので、係止用ノッチ部１６に屈曲部２８を係止する際に、開封片１２の基端部１２ａが注出流路１１に引き寄せられることになる。また、屈曲部２８を係止用ノッチ部１６に係止させることでパウチ本体１４には係止用ノッチ部１６を介して開封片１２からその基端部１２ａ側に戻ろうとする力が作用する。即ち、注出流路１１の両側から中心に向けてフィルム面に沿った力が作用することになり、一対のフィルム片には互いに離れる方向に力が働く。この力によって注出流路１１は筒状に押し広げられ、従って、図４のように注出用開口部１３が開口すると共にその状態が維持されることになり、注出流路１１の近傍におけるパウチ本体１４も膨出した状態となる。また、開封によって注出用ノズル部１５が突出形成されるので、その注出用ノズル部１５を専用容器の口部に当てるようにして詰め替え作業を行うことができる。しかも、上記の力が注出用ノズル部１５の両側から中心側に向けて集中的に作用するので、注出用ノズル部１５は筒状に押し広げられることになる。従って、注出用ノズル部１５の先端部に形成された注出用開口部１３から内容物を容易に注出して詰め替え作業を行うことができる。尚、開封片１２は注出用ノズル部１５の背面側あるいは正面側を迂回するようにして係止用ノッチ部１６に係止されるので、開封片１２が内容物注出時の妨げになることもなく、また開封片１２が注出用ノズル部１５の根元に設けられたフランジのように構成されるため、開封片１２を専用容器の口部縁部に当接させることによって専用容器と詰め替え用パウチとの接触面積が大きくなり、詰め替え作業の安定性を向上させることができる。更にこの注出用ノズル部１５は開封前においては表出しておらず詰め替え用パウチは略長方形であるので、開封前の状態から注出用ノズル部１５が突出形成された構成のように輸送時や陳列時等において注出用ノズル部１５が邪魔になるということもない。
【００２６】
尚、本実施形態では開封片１２の基端部１２ａが上側で先端部１２ｂが下側に位置する構成であったが、図５乃至図７のように逆の配置であってもよい。即ち、開封片１２の基端部１２ａが下側で先端部１２ｂが上側に位置する構成としてもよい。その場合、係止用ノッチ部１６は詰め替え用パウチの上縁７に形成し、開封後において開封片１２を上側に引っ張るようにして係止用ノッチ部１６に屈曲部２８を係止する。該屈曲部２８は、横断線部２５と上側の外郭線部２７との間に形成される。
【００２７】
この構成においても図６のように開封片１２の基端部１２ａから屈曲部２８までの長さＢに対して、開封片１２の基端部１２ａから係止用ノッチ部１６までの長さＡの方が長くなり、Ａ＞Ｂという関係になる。従って、開封後に屈曲部２８を係止用ノッチ部１６に係止させると、一対のフィルム片に互いに離れる方向に力が働いて、この力によって注出流路１１は筒状に押し広げられ、注出用開口部１３は開口状態に保持される。尚、図６の場合には、開封片１２の基端部１２ａから係止用ノッチ部１６までの長さＡ及び開封片１２の基端部１２ａから屈曲部２８までの長さＢに関して、開封片１２の基端部１２ａは、下側の外郭線部２４の終端２４ａ（下端）から詰め替え用パウチの一方の側縁８に向けて水平に引いた仮想線Ｌ２が側縁８と交差した点Ｑを基準とする。この実施形態において下側の外郭線部２４の終端２４ａが開封線２０の終端である。
【００２８】
但し、詰め替え用パウチの上部は下部に比して変形しやすく、また、開封後の開封片１２を上側に引っ張るよりも下側に引っ張る方が詰め替え用パウチが安定しやすいので、開封片１２の基端部１２ａが下側で先端部１２ｂが上側に位置する構成とするよりも、図１のように開封片１２の基端部１２ａを上側に配置して開封後の開封片１２を下側に引っ張るようにして係止する構成とすることが好ましい。
【００２９】
また、開封片１２の被係止部の構成についても種々変更が可能であって、上記実施形態においては屈曲部２８により被係止部を構成したが、その構成には限られず、開封線２０の他の箇所に被係止部を形成してもよい。開封線２０の他の箇所に被係止部を形成する場合、屈曲部２８のように開封線２０の一部から被係止部を構成することが好ましく、開封片１２の内側に向けて凹状部を凹設してその凹状部を被係止部とすることが好ましい。開封線２０に被係止部としての凹状部を形成するようにすれば、開封前において被係止部に他の物が引っかかったりするということがない。
【００３０】
但し、被係止部の位置、構成は任意であって開封線２０に形成することには限定されない。例えば、図８乃至図１１のように開封片１２に丸形の貫通孔４０を形成しておき、その貫通孔４０の開口縁部４１を被係止部としてパウチ本体１４の係止部に係止するようにしてもよい。この構成では、詰め替え用パウチの一方の側縁８において注出用開口部１３の下側に位置する領域が切り欠かれていて、注出用ノズル部１５の下側部分が開封前において既に表出している形態である。従って、開封線２０には、図２に示したような先端縁部２２や下側の外郭線部２４が存在せず、始端ノッチ部２１から横断線部２５が形成されている。そして、注出用ノズル部１５の基端部の下側部分に係止部としてＶ字状のノッチ部４２が形成されている。
【００３１】
この構成においても図８のように開封片１２の基端部１２ａから被係止部である貫通孔４０の開口縁部４１までの長さＢに対して、開封片１２の基端部１２ａからノッチ部４２までの長さＡの方が長くなり、Ａ＞Ｂという関係になる。開封線２０の終端近傍には鉛直部３１が上方に向けて延設されており、該鉛直部３１の終端３１ａ（上端）が開封線２０の終端となっている。そして、開封片１２の基端部１２ａからノッチ部４２までの長さＡ及び開封片１２の基端部１２ａから貫通孔４０の開口縁部４１までの長さＢに関し、開封片１２の基端部１２ａは、鉛直部３１の終端３１ａから詰め替え用パウチの上縁７に向けて鉛直上方に引いた仮想線Ｌ１が上縁７と交差した点Ｐを基準とする。開封片１２の基端部１２ａからノッチ部４２までの長さＡはノッチ部４２の先端までの距離とする。また、貫通孔４０の開口縁部４１のうち被係止部となる箇所は、点Ｐから貫通孔４０の中心Ｏを通る直線Ｃを引いたとき、その直線Ｃが貫通孔４０の開口縁部４１と交わる二点のうち点Ｐから遠い側の点Ｒである。従って、開封片１２の基端部１２ａから貫通孔４０の開口縁部４１までの長さＢは点Ｐと点Ｒとの間の距離となる。
【００３２】
上述したように注出用ノズル部１５の下側部分は開封前において既に表出しているが、図１０のように開封すると注出用ノズル部１５の上側部分も表出する。そして、開封後の開封片１２を下側に引っ張ると、開封片１２が基端部１２ａ側に戻ろうとすることで注出用ノズル部１５が筒状となる。そして、図１１のように筒状となった注出用ノズル部１５の外側に開封片１２を嵌め込み、貫通孔４０の開口縁部４１をノッチ部４２に係止させることで注出用開口部１３が開口維持される。本形態も他の実施形態と同様に、開封片１２がその基端部１２ａ側に戻ろうとする力を利用することにより注出用開口部１３を開口維持するものであるので、貫通孔４０の径を殊更小径にせずとも支障は無く、貫通孔４０を一定の大きさとすることで挿通作業を簡便且つ容易とすることができる。
【００３３】
尚、注出用ノズル部１５の基端部の上側部分にも補助係止部４３が形成されている。そのため、開封線２０には、図９のように上側の外郭線部２７の端部から補助係止部４３を介して鉛直部３１が上方に向けて延設されている。このように補助係止部４３を形成すれば、貫通孔４０に注出用ノズル部１５を挿入したときに補助係止部４３にも貫通孔４０の開口縁部４１を係止することができて、より一層確実に開封片１２が注出用ノズル部１５に係止され、注出用開口部１３の開口状態が維持されることになる。但し、貫通孔４０を注出用ノズル部１５の先端部の幅よりも大径として補助係止部４３を省略しもよく、この場合であっても貫通孔４０の開口縁部４１をノッチ部４２に係止させることで注出用開口部１３を開口維持させることができる。
【００３４】
尚、詰め替え用パウチをスタンディングパウチとして構成したが、平パウチの構成であってもよい。また、注出用ノズル部１５が突出形成されない構成であっても構わない。注出用開口部１３の位置や形状、向き等についても任意である。
【符号の説明】
【００３５】
１    底部ガセット部
１ａ    折り返し部
２    切欠部
３    側縁シール部
４    側縁シール部
５    底部シール部
６    充填口シール部
７    上縁
８    側縁
９    傾斜シール部
１０    充填空間部
１１    注出流路
１２    開封片
１２ａ  基端部
１２ｂ  先端部
１３    注出用開口部
１４    パウチ本体
１５    注出用ノズル部
１６    係止用ノッチ部
２０    開封線
２１    始端ノッチ部
２２    先端縁部
２３    湾曲部
２４    下側の外郭線部
２４ａ  終端
２５    横断線部
２６    湾曲部
２７    上側の外郭線部
２７ａ  終端
２８    屈曲部（凹状部、被係止部）
２９    ノッチ部
３０    シール部
３１    鉛直部
３１ａ  終端
４０    貫通孔
４１    開口縁部（被係止部）
４２    ノッチ部（係止部）
４３    補助係止部
Ｈ    易開封領域
Ｔ    非切断領域
Ｌ１    仮想線
Ｌ２    仮想線
【図１】
0005957750.tif 000002
【図２】
0005957750.tif 000003
【図３】
0005957750.tif 000004
【図４】
0005957750.tif 000005
【図５】
0005957750.tif 000006
【図６】
0005957750.tif 000007
【図７】
0005957750.tif 000008
【図８】
0005957750.tif 000009
【図９】
0005957750.tif 000010
【図１０】
0005957750.tif 000011
【図１１】
0005957750.tif 000012